(57)【要約】【課題】  筆記ボードのみをペーパークリップと粉受けとの間に着脱自在に装着できるようにして、筆記ボードのコストダウンをはかるとともに、筆記ボードの配置変更が容易にできる筆記可能なボード装置を提供する。【解決手段】  ペーパーの上端部をクリップして垂下させるペーパークリップ２と筆記かすを受ける粉受け３とを上下に所定間隔をおいてほぼ水平方向に向けて壁体１に取付けておき、ペーパークリップ２と粉受け３との間に筆記ボード４を着脱自在に装着しうるようにする。【選択図】図２
2005138436.tif 000002
【特許請求の範囲】
【請求項１】
ペーパーの上端部をクリップして垂下させるペーパークリップと筆記かすを受ける粉受けとを上下に所定間隔をおいてほぼ水平方向に向けて壁体に取付けておき、前記ペーパークリップと前記粉受けとの間に筆記ボードを着脱自在に装着するようにしたことを特徴とする筆記可能なボード装置。
【請求項２】
ペーパークリップの下端面および粉受けの上端面に弧状の係合凹面を形成し、筆記ボードの上端面および下端面には係合凸面を形成し、この上下の係合凹面と係合凸面との係合により、前記筆記ボードを上下から狭持したことを特徴とする請求項１記載の筆記可能なボード装置。
【請求項３】
ペーパークリップの下端部および粉受けの上端部にガイドレールを形成し、筆記ボードの上端部および下端部にガイド溝を形成し、該ガイド溝を前記ガイドレールに摺動自在に嵌め込んだことを特徴とする請求項１記載の筆記可能なボード装置。
【請求項４】
ペーパークリップの下端部にフック部を形成し、筆記ボードの上端部に掛止溝を形成し、該掛止溝を前記フック部に掛止したことを特徴とする請求項１記載の筆記可能なボード装置。
【請求項５】
ペーパークリップを、壁体に固定した固定部材と、該固定部材に着脱自在に係合したペーパークリップ部材とにより構成したことを特徴とする請求項１〜４のいずれか１項に記載の筆記可能なボード装置。
【請求項６】
粉受けを、壁体に固定した固定部材と、該固定部材に着脱自在に係合した粉受け部材とにより構成したことを特徴とする請求項１〜５のいずれか１項に記載の筆記可能なボード装置。
【請求項７】
ペーパークリップ、粉受けおよび筆記ボードに、壁体に吸着する磁石を取付けたことを特徴とする請求項１〜６のいずれか１項に記載の筆記可能なボード装置。
【発明の詳細な説明】
【技術分野】
【０００１】
本発明は、筆記面を備えたホワイトボード、黒板等の筆記ボードを壁体に装着して使用する筆記可能なボード装置に関する。
【背景技術】
【０００２】
従来、ホワイトボード、黒板等の筆記ボードにおいて、ボード本体の上部にペーパークリップを設けたり、下部に筆記かすを受ける粉受けを設けたりしたものは種々提案されている（例えば、特許文献１、特許文献２参照）。
【特許文献１】実開平７−２０８６号公報（図１）
【特許文献２】実公平３−４７９０９号公報（第１図、第２図）
【発明の開示】
【発明が解決しようとする課題】
【０００３】
しかし、上記従来技術では、ボード本体にペーパークリップおよび粉受けを一体に固着しているため、筆記ボードとしての製造コストが高くなるとともに、ペーパークリップや粉受けについても次々と機能の改良が施されているが、ペーパークリップおよび粉受けのみを取り替えることは困難であるため、旧製品の筆記ボードに付いているペーパークリップや粉受けについては改良されないまま使用せざるを得ないという問題がある。
【０００４】
また、使用する筆記ボードを変更する場合は、粉受け上にあるペンやイレイザも移し変える作業が必要となり、ボード数が多くなるとこの作業も煩雑となる。また、複数の筆記ボードを見やすいように並べ変えたりする場合、個々の筆記ボードに必ずしもペーパークリップや粉受けを必要としない場合もある（縦方向に並べる場合はペーパークリップや粉受けがかえって表示の邪魔になる）が、従来の筆記ボードはペーパークリップおよび粉受けが一体的に付いているため、取り外すことはできず、結果的に不要なペーパークリップや粉受けが付いているコストの高いボードを使用せざるを得ないという問題がある。
【０００５】
本発明は、従来の技術が有する上記のような問題点に鑑み、筆記ボードとペーパークリップおよび粉受けを分離し、筆記ボードの使い勝手を向上させることができるとともに、筆記ボードのコストダウンを可能にした筆記可能なボード装置を提供することを目的としている。
【課題を解決するための手段】
【０００６】
本発明によると、上記課題は、次のようにして解決される。
(１)  ペーパーの上端部をクリップして垂下させるペーパークリップと筆記かすを受ける粉受けとを上下に所定間隔をおいてほぼ水平方向に向けて壁体に取付けておき、前記ペーパークリップと前記粉受けとの間に筆記ボードを着脱自在に装着する。
【０００７】
(２)  上記(１)項において、ペーパークリップの下端面および粉受けの上端面に弧状の係合凹面を形成し、筆記ボードの上端面および下端面には係合凸面を形成し、この上下の係合凹面と係合凸面との係合で前記筆記ボードを上下から狭持する。
【０００８】
(３)  上記(１)項において、ペーパークリップの下端部および粉受けの上端部にガイドレールを形成し、筆記ボードの上端部および下端部にガイド溝を形成し、該ガイド溝を前記ガイドレールに摺動自在に嵌め込む。
【０００９】
(４)  上記(１)項において、ペーパークリップの下端部にフック部を形成し、筆記ボードの上端部に掛止溝を形成し、該掛止溝を前記フック部に掛止する。
【００１０】
(５)  上記(１)〜(４)項のいずれかにおいて、ペーパークリップを、壁体に固定した固定部材と、該固定部材に着脱自在に係合したペーパークリップ部材とにより構成する。
【００１１】
(６)  上記(１)〜(５)項のいずれかにおいて、粉受けを、壁体に固定した固定部材と、該固定部材に着脱自在に係合した粉受け部材とにより構成する。
【００１２】
(７)  上記(１)〜(６)項のいずれかにおいて、ペーパークリップ、粉受けおよび筆記ボードに、壁体に吸着する磁石を取付ける。
【発明の効果】
【００１３】
本発明によると、次のような効果を奏することができる。
(ａ)請求項１記載の発明によると、ペーパークリップと粉受けとを上下に所定間隔をおいて壁体に取付けておき、このペーパークリップと粉受けとの間に筆記ボードを着脱自在に装着するようにしたので、筆記ボードはペーパークリップおよび粉受けのない単純な構成となるとともに、粉受け上のペンやイレイザはそのままにして筆記ボードのみを入れ替えればよいので、筆記ボードの取替え作業が短時間で行えるとともに、筆記ボードの種類（例えばホワイトボード、黒板）の変更も容易であり、また、ペーパークリップと粉受けの間隔を変更すれば、筆記ボードのサイズの変更も容易である。また、ペーパークリップと粉受けは、筆記ボードとは独立しているので、ペーパークリップあるいは粉受けのみを改良すればよく、ペーパークリップや粉受けに新たな機能を付加することも低コストで行える。
【００１４】
(ｂ)請求項２記載の発明によると、ペーパークリップの下端面および粉受けの上端面に形成した弧状の係合凹面と、筆記ボードの上下端面に形成した係合凸面との係合により、筆記ボードを上下から狭持するようにしたので、筆記ボードは他の固定手段を使用することなくペーパークリップと粉受けのみで上下から保持できるとともに、筆記ボードはペーパークリップと粉受け間に体裁よく配置できる。また、弧状の係合面を支点として筆記ボードを回動操作することにより、ペーパークリップと粉受け間への筆記ボードの取付け、取外しが簡単に行える。
【００１５】
(ｃ)請求項３記載の発明によると、筆記ボードのガイド溝をペーパークリップのガイドレールに摺動自在に嵌め込むようにしたので、筆記ボードは横からの摺動操作でペーパークリップと粉受けに簡単に装着できるとともに、ガイドレールとガイド溝の係合により確実に保持できる。
【００１６】
(ｄ)請求項４記載の発明によると、ペーパークリップのフック部に筆記ボードの掛止溝を掛止するようにしたので、筆記ボードの取付け、取り外しの操作が容易に行える。
【００１７】
(ｅ)請求項５記載の発明によると、ペーパークリップを、壁体に固定した固定部材と該固定部材に着脱自在に係合したペーパークリップ部材とにより構成したので、ペーパークリップ部材だけの交換も容易であるとともに、ペーパークリップ機能が不用の場合は付けないようにすることもできる。
【００１８】
(ｆ)請求項６記載の発明によると、粉受けを、壁体に固定した固定部材と該固定部材に着脱自在に係合した粉受け部材とにより構成したので、粉受け部材だけの交換も容易であるとともに、粉受け機能が不用の場合は付けないようにすることもできる。
(ｇ)請求項７記載の発明によると、ペーパークリップ、粉受けおよび筆記ボードに壁体に吸着する磁石を取付けたので、これらを壁体に簡単に取付けできる。
【発明を実施するための最良の形態】
【００１９】
以下、本発明の一実施形態を，図面に基づいて説明する。
図１は、本発明の一実施形態を備える筆記可能なボード装置の斜視図である。
【００２０】
同図に示すように、この筆記可能なボード装置は、壁体(１)の上部に水平に取付けられたペーパークリップ(２)と、ペーパークリップ(２)から所定の間隔を置いて壁体(１)の下部に水平に取付けられた粉受け(３)と、このペーパークリップ(２)と粉受け(３)との間に着脱自在に装着された筆記ボード(４)とにより構成されている。
【００２１】
図２は、本発明の筆記可能なボード装置の第１の実施形態を示す縦断側面図である。
同図に示すように、上部に取付けられたペーパークリップ(２)は、枠体(５)と、枠体(５)の後部に取付けられた、壁体(１)への吸着用の磁石(６)と、クリップローラ(７)とを備えている。枠体(５)の前部には、後下向きに傾斜した傾斜部(８)が形成され、この傾斜部(８)と、その後方の垂直部(９)との間に形成された空間部(10)に、クリップローラ(７)が挿入されている。枠体(５)の下面には弧状の係合凹面(11)が形成されている。
【００２２】
粉受け(３)は、上面の前部に浅い凹状の受け部(12)が形成され、上面の後部に弧状の係合凹面(13)が形成されたほぼ三角形状をなし、後面には壁体(１)への吸着用の磁石(14)が取付けられている。
【００２３】
筆記ボード(４)は、ボード本体(15)と、このボード本体(15)の上端縁および下端縁の各々に取付けられた上枠(16)および下枠(17)とにより構成されている。この上枠(16)および下枠(17)の後部には壁体(１)への吸着用の磁石(18)が取付けられている。上枠(16)の上端面および下枠(17)の下端面には、各々弧状の係合凸面(16a)(17a)が形成されている。
ペーパークリップ(２)および粉受け(３)は、各々磁石(６)(14)を介して磁性体からなる壁体(１)に吸着させることにより、予め所定の間隔を置いて上下に水平に配置しておく。そして、これから使用する筆記ボード(４)をペーパークリップ(２)と粉受け(３)との間に以下のようにして装着する。
【００２４】
すなわち、ボード本体(15)の上枠(16)の係合凸面(16a)をペーパークリップ(２)の係合凹面(11)に当接させ、この当接部分を支点としてボード本体(15)の下部を壁体(１)の方向に回動させ、下枠(17)の係合凸面(17a)を粉受け(３)の係合凹面(13)に押し込む。これにより、図２に示すように、ボード本体(15)はペーパークリップ(２)および粉受け(３)の各々の係合凹面(11)(13)で狭持された状態で、磁石(18)が壁体(１)に吸着されて取付けられる。
【００２５】
ペーパークリップ(２)のクリップローラ(７)と、傾斜部(８)と反対側の垂直部(９)との間に下からペーパー(Ｐ)を挿入し、そのままペーパー(Ｐ)を引き下げると、傾斜部(８)とクリップローラ(７)とのくさび作用により、クリップローラ(７)と垂直部(９)との間でペーパー(Ｐ)を挟み込み、ペーパー(Ｐ)はボード本体(15)の前面に吊り下げられる。ボード本体(15)にサインペン、チョーク等で筆記した後、イレイザで消すと、筆記かすが落下し、これを粉受け(３)で受け止める。
【００２６】
上記のように、ペーパークリップ(２)および粉受け(３)を、予め所定の間隔を置いて壁体(１)の上下に配置しておき、別体の筆記ボード(４)をペーパークリップ(２)と粉受け(３)との間に装着するようにしたことにより、筆記ボード(４)はペーパークリップ(２)および粉受け(３)のない単純な構成となり、粉受け(３)上のペンやイレイザはそのままにして筆記ボード(４)のみを入れ替えればよいので、筆記ボード(４)の取替え作業が短時間で行えるとともに、筆記ボード(４)の種類（例えばホワイトボード、黒板）の変更も容易であり、また、ペーパークリップ(２)と粉受け(３)の間隔を変更すれば、筆記ボード(４)のサイズの変更も容易である。筆記ボードは単体として縦横に自由に配列して使用することも可能となる。
【００２７】
さらにまた、ペーパークリップ(２)と粉受け(３)は筆記ボード(４)とは独立しているので、ペーパークリップ(２)あるいは粉受け(３)のみを改良すればよく、ペーパークリップ(２)や粉受け(３)に新たな機能を付加することも低コストで行える。
図２は、本発明の筆記可能なボード装置の第２の実施形態を示す分解斜視図、図３は同じく縦断側面図である。
【００２８】
同図に示すように、ペーパークリップ(２)は、壁体(１)に固定された固定部材(20)と、この固定部材(20)に係合されたペーパークリップ部材(21)とからなるものである。固定部材(20)は、前面の上部に、上下に相対向して突出する係止片(22)が設けられ、下端縁には上向きの凸縁からなるレール(23)が設けられたもので、止めねじ(24)を介して壁体(１)に取付けられている。
【００２９】
ペーパークリップ部材(21)は、後面の上下に係止爪(25)が突設され、前部には後下向きに傾斜した傾斜部(８)が形成され、この傾斜部(８)の内側の空間部(10)にクリップローラ(７)が挿入されたものである。
【００３０】
筆記ボード(４)は、ボード本体(15)と、ボード本体(15)の上端縁および下端縁の各々に取付けられた上枠(16)および下枠(17)と、ボード本体(15)、上枠(16)および下枠(17)の左右側端縁に取付けられた側板(26)とにより構成されている。上枠(16)、下枠(17)および側板(26)の後部には、ガイド溝(27)が形成されている。
【００３１】
粉受け(３)は、壁体(１)に固定された固定部材(28)と、この固定部材(28)に係合された粉受け部材(29)とからなるものである。固定部材(28)は、前面の下部に上下に相対向して突出する係止片(30)が設けられ、上端縁には、下向きの凸縁からなるレール(31)が設けられたもので、止めねじ(32)を介して壁体(１)に取付けられている。粉受け部材(29)は、後面の上下に係止爪(33)が突出され、前部には粉受け部(34)が形成されたものである。
【００３２】
図４に示すように、ペーパークリップ部材(21)および粉受け部材(29)の各々の固定部材(20)(28)は止めねじ(24)(32)を介して壁体(１)に取付けられている。ペーパークリップ部材(21)は係止爪(25)を係止片(22)に弾性係止させることにより固定部材(20)に固定され、粉受け部材(29)は係止爪(33)を係止片(30)に弾性係止させることにより固定部材(28)に固定されている。そして、筆記ボード(４)は上下のガイド溝(27)(27)を横からレール(23)(31)にスライドさせながら挿入することにより、図４に示すように、ペーパークリップ(２)および粉受け(３)の各々の固定部材(20)(28)に取付けられる。このように、筆記ボード(４)は、スライド操作により、ペーパークリップ(２)および粉受け(３)に取付けおよび取外しができる。なお、ペーパークリップ部材(21)および粉受け部材(29)も係止爪(25)(33)の部分を横に摺動させることにより取り外すことも可能である。
【００３３】
図５は、本発明の筆記可能なボード装置の第３の実施形態を示す縦断側面図である。
同図に示すように、ペーパークリップ(２)は、壁体(１)に固定された固定部材(20)と、この固定部材(20)に着脱自在に取付けられたペーパークリップ部材(21)とからなるものである。固定部材(20)は、前面の上端部に幅広の上部係止片(35)が、下部に幅狭の下部係止片(36)が各々設けられ、下端には、フック部(37)が設けられたもので、止めねじ(38)を介して壁体(１)に取付けられている。
【００３４】
ペーパークリップ部材(21)は、後面に取付けられた磁石(40)を介して固定部材(20)に吸着され、上面に形成された係止溝(41)が固定部材(20)の上部係止片(35)の先端部に係止され、下端の係止片(42)が下部係止片(36)の上面に係止されている。ペーパークリップ部材(21)の前部には、第１の実施形態と同様、傾斜部(８)が形成され、この傾斜部(８)の内側の空間部にクリップローラ(７)が挿入されている。
【００３５】
筆記ボード(４)は、ボード本体(15)と、ボード本体(15)の上端縁および下端縁の各々に取付けられた上枠(16)および下枠(17)とにより構成されている。上枠(16)および下枠(17)の後面には掛止溝(43)が形成され、かつ、後面には磁石(44)が取付けられられている。なお、粉受け(３)は第１の実施形態のもの(図２参照)と同じ構成である。
筆記ボード(４)は上枠(16)の掛止溝(43)をフック部(37)に引掛けるとともに、共に、下枠(17)を粉受け(３)の係合面(10)に押し込むことにより、磁石(44)を介して壁体(１)に吸着された状態で、ペーパークリップ(２)と粉受け(３)の間に保持される。
本実施形態では、引掛け操作で筆記ボード(４)の取付け、取り外しの操作が容易に行えるとともに、掛止溝(43)の部分で誤差が吸収できるので、ペーパークリップ(２)および粉受け(３)に多少の取付け誤差があってもよい。
【図面の簡単な説明】
【００３６】
【図１】図１は、本発明の一実施形態である筆記可能なボード装置の斜視図である。
【図２】本発明の第１の実施形態の縦断側面図である。
【図３】同じく、第２の実施形態の分解斜視図である。
【図４】同じく、第２の実施形態の縦断側面図である。
【図５】同じく、第３の実施形態の縦断側面図である。
【符号の説明】
【００３７】
(１)壁体
(２)ペーパークリップ
(３)粉受け
(４)筆記ボード
(５)枠体
(６)磁石
(７)クリップローラ
(８)傾斜部
(９)垂直部
(10)空間部
(11)係合凹面
(12)受け部
(13)係合凹面
(14)磁石
(15)ボード本体
(16)上枠
(16a)係合凸面 
(17)下枠
(17a)係合凸面
(18)磁石
(20)固定部材
(21)ペーパークリップ部材
(22)係止片
(23)レール
(24)止めねじ
(25)係止爪
(26)側板
(27)ガイド溝
(28)固定部材
(29)粉受け部材
(30)係止片
(31)レール
(32)止めねじ
(33)係止爪
(34)粉受け部
(35)上部係止片
(36)下部係止片
(37)フック部
(38)止めねじ
(40)磁石
(41)係止溝
(42)係止片
(43)掛止溝
(44)磁石
【図１】
2005138436.tif 000003
【図２】
2005138436.tif 000004
【図３】
2005138436.tif 000005
【図４】
2005138436.tif 000006
【図５】
2005138436.tif 000007